(57)【要約】【課題】自動清掃が可能な空気調和機のフィルター装置において、吸引力向上を簡素な構成で実現し、エアフィルターに付着する埃の清掃性能改善と低コスト化を図る。【解決手段】上部巻取り軸８ａと、下部巻取り軸８ｂと、上下部巻取り軸８ａ、８ｂ間に張設されたエアフィルター４ａ、４ｂと、エアフィルター４ｂの前面側に水平方向に可動する吸引口３ａを有する横長の吸引ノズル３と、吸引ノズル３に連結された吸引排気装置５とを備え、エアフィルター４ａ，４ｂの両側端を部分的に補強したフィルター装置１を空気調和機に設けた。【選択図】図２
2008256299.tif 000002
【特許請求の範囲】
【請求項１】
送風回路と前記送風回路の中にフィルター装置を有する空気調和機であって、前記フィルター装置には、上部巻取り軸と、下部巻取り軸と、前記複数の巻取り軸間に張設されたエアフィルターと、前記エアフィルターの上流側に水平方向に可動する吸引口を有する水平方向に長手方向を持つ吸引ノズルと、前記吸引ノズルに連結された吸引排気装置とを備え、前記エアフィルターの両側端を部分的に補強したことを特徴とする空気調和機。
【請求項２】
エアフィルターの中央部分に縦方向に部分的に補強した部分を設けたことを特徴とする請求項１に記載の空気調和機。
【請求項３】
エアフィルターの中央部分に横方向に部分的に補強した部分を設けたことを特徴とする請求項１または２に記載の空気調和機。
【請求項４】
エアフィルターの網目を前記エアフィルターの駆動方向に対して斜めに編成したことを特徴とする請求項１から３のいずれか１項に記載の空気調和機。
【発明の詳細な説明】
【技術分野】
【０００１】
本発明は、エアフィルターの清掃を自動的に行うようにした空気調和機に関するものである。
【背景技術】
【０００２】
従来、空気調和機のフィルター装置は、熱交換器の前面に、空気調和機の本体内部へ埃が侵入することを防ぐためのエアフィルターが設けられており、このエアフィルターは付着した埃を手で清掃できるように着脱自在に構成されている。こうした構成でのフィルター装置は頻繁なメンテナンスが必要となるだけでなく、メンテナンスが行われるまでの間にはエアフィルターが除々に目詰まりしていき、その結果、熱交換器を通過する風量が低下し、空調能力が低下して消費電力の増大につながることとなる。
【０００３】
このため、エアフィルターのメンテナンスの手間を低減する目的で、エアフィルターに付着した埃を吸入する左右に移動可能な吸引ノズルを設け、吸引ノズルをＬ型にしてエアフィルターに接面させ、吸引ノズルの接面部に吸引口を設け、定期的に清掃する自動清掃装置が提案されていた（例えば、特許文献１参照）。
【特許文献１】特開２００５−１４０４０３号公報
【発明の開示】
【発明が解決しようとする課題】
【０００４】
しかしながら、前記従来の構成ではエアフィルターの前面でＬ型の吸引ノズルを左右に駆動する構成のため構造が複雑になりコストの増大や、また吸引口から吸引排気装置までの距離が長く、且つ、曲折したものとなるため圧力損失が大きく大型の吸引排気装置が必要となるという課題があった。
【課題を解決するための手段】
【０００５】
前記従来の課題を解決するために、本発明は送風回路と前記送風回路の中にフィルター装置を有する空気調和機であって、前記フィルター装置には、上部巻取り軸と、下部巻取り軸と、前記複数の巻取り軸間に張設されたエアフィルターと、前記エアフィルターの上流側に水平方向に可動する吸引口を有する水平方向に長手方向を持つ吸引ノズルと、前記吸引ノズルに連結された吸引排気装置とを備え、前記エアフィルターの両側端を部分的に補強したものである。これにより、簡素な構成で吸引力の向上が図れるとともに、エアフィルター動作の安定したフィルター装置が提供できる。
【発明の効果】
【０００６】
本発明の空気調和機は、エアフィルターに付着した埃の自動清掃を簡素な構成で実現でき、且つ、吸引力の向上が図れるため、空気調和機の基本性能を損なうことなくフィルターの自動清掃を低コストで実現できるという効果が得られる。
【発明を実施するための最良の形態】
【０００７】
第１の発明は、送風回路と前記送風回路の中にフィルター装置を有する空気調和機であって、前記フィルター装置には、上部巻取り軸と、下部巻取り軸と、前記複数の巻取り軸間に張設されたエアフィルターと、前記エアフィルターの上流側に水平方向に可動する吸引口を有する水平方向に長手方向を持つ吸引ノズルと、前記吸引ノズルに連結された吸引排気装置とを備え、前記エアフィルターの両側端を部分的に補強したものである。この構成により、吸引口から吸引排気装置までの距離を短く、且つ、簡素に構成できるため圧力損失が低減でき吸引力の向上と低コスト化が図れ、さらに、エアフィルター両端部を部分
的に補強することで、エアフィルターの安定した動作を得ることができる。
【０００８】
第２の発明は、特に、第１の発明のエアフィルターの中央部分に縦方向に部分的に補強した部分を設けたものであり、この構成により、エアフィルターの動作時などにおけるフィルター中央部の縦方向の撓みが改善できる。
【０００９】
第３の発明は、特に、第１または第２の発明のエアフィルターの中央部分に横方向に部分的に補強した部分を設けたものであり、この構成により、エアフィルターの動作時などにおけるフィルター中央部の横方向の撓みが改善できる。
【００１０】
第４の発明は、特に、第１または第３のいずれか１つの発明のエアフィルターの網目を前記エアフィルターの駆動方向に対して斜めに編成したものであり、この構成により、エアフィルター動作時などにおけるフィルターの縦および横方向の撓みや捻れが改善できる。
【００１１】
以下、本発明の実施の形態について、図面を参照しながら説明する。尚、この実施の形態によって本発明が限定されるものではない。
【００１２】
（実施の形態１）
図１は本発明の第１の実施の形態における空気調和機の正面図であり、図２は図１のＩ−Ｉにおける空気調和機の断面図である。図３は本発明の第１の実施の形態におけるフィルター装置の斜視図であり、図４はフィルター装置に設けた吸引ノズルの外観図である。
【００１３】
図２に示すように、空気調和機本体１１の内部には熱交換器９が設けられ、空気の流路となる風流路１５が形成されている。この風流路１５内にはファン１０が設けられ、本体１１の前面から上面に渡り形成される吸込口１６から吸い込み、吹出口１７から吹き出す空気の流れを発生させている。そして、本体１１の前面から上面に渡り形成される吸込口１６と熱交換器９の間にＬ字型の形状でフィルター装置１を配設しており、空気中に漂う埃はこのフィルター装置１で取り除かれる。
【００１４】
図３に示すように、フィルター装置１にはフィルターワク２と、フィルターワク２の上部に上部巻取り軸８ａと、下部に下部巻取り軸８ｂを配設し、上部巻取り軸８ａには上部エアフィルター４ａを、下部巻取り軸８ｂには下部エアフィルター４ｂを巻き付けて固定している。ここで、上部エアフィルター４ａは下部エアフィルター４ｂの上下動作時の引張用として用い、下部エアフィルター４ｂは集塵用として用いる。また、下部エアフィルター４ｂと下部巻取り軸８ｂはフィルターケース２２に収納し、フィルターケース２２はフィルターワク２に着脱自在に取付けている。そして、上部エアフィルター４ａの下端部には上部エアフィルター連結部２１ａが、下部エアフィルター４ｂの上端部には下部エアフィルター連結部２１ｂが設けてあり、これら連結部２１ａ、２１ｂは着脱自在に係合されている。また、上部巻取り軸８ａには巻取り軸駆動モーター７が、下部巻取り軸８ｂには着脱可能なクラッチ機構を含む駆動伝達手段２３を介して巻取り軸駆動モーター７が連結されている。
【００１５】
また、フィルター装置１には、エアフィルター４ａ、４ｂの前面（風上）側に吸引ノズル３と、吸引ノズル３に連結した吸引排気装置５とを備えており、吸引ノズル３は、フィルターワク２に設けた支持部２４に回転自在に取付けられている。
【００１６】
吸引ノズル３には、図４に示すように吸引ノズル３の長手方向に巻回されたフィルム３ｃを内蔵し、フィルム３ｃにはフィルム３ｃの駆動方向と略直角をなす方向に長辺を有する長方形の吸引口３ａと吸引口３ａの近傍にブラシ部材３ｂを設け、フィルム駆動モータ
ー６によりフィルムを回転駆動させることで、吸引口３ａとブラシ部材３ｂを左右方向に移動可能にしたものである。
【００１７】
このように構成されたフィルター装置１の動作について説明する。空気調和機本体１１の運転中は、上部エアフィルター４ａは上部巻取り軸８ａに全て巻き取られており、本体１１に吸込まれる空気中に含まれる埃は下部エアフィルター４ｂで集塵される。
【００１８】
空気調和機本体１１の運転停止後に、吸引排気装置５が運転開始し、エアフィルター４の片側端に位置していた吸引口３ａ及びブラシ部材３ｂが、フィルム駆動モーター６によって、図４に示すようにＢの矢印方向に移動し、下部エアフィルター４ｂの前面側に付着した埃を掻き取りながら吸引口３ａから吸い取り、埃は吸引排気装置５に吸引され、排気ホース（図示せず）を通り屋外へ排出される。そして、吸引口３ａが、対向する片側端まで移動したときにフィルム駆動モーター６を逆回転させれば、吸引口３ａは初期の位置に戻る。ここで、巻取り軸駆動モーター７が駆動し、巻取り軸８ｂによりエアフィルター４ｂを巻き回し、埃の付着した部分を吸引口３ａに位置させ再びフィルム駆動モーター６により吸引口３ａ及びブラシ部材３ｂが図２に示すようにＢの矢印方向に移動する。再び、吸引口３ａが、対向する片側端まで移動したときにフィルム駆動モーター６を逆回転させ、吸引口３ａは初期の位置に戻る。以上の動作を繰り返し下部エアフィルター４ｂの全面を自動で清掃することが可能となる。
【００１９】
ここで、図３に示すように上下部エアフィルター４ａ、４ｂは、その両端部をフィルターの網目を密にして腰を持たせた補強部１９を設けているため、端部の解れおよび強度不足による撓みや捻れを無くすことができ、エアフィルターの安定した動作を得ることができる。
【００２０】
尚、両端部を補強する手段としては、薄肉の樹脂をフィルターと一体成型するなど、どのような方法を用いても構わない。
【００２１】
以上のような構成により、吸引口３ａから吸引排気装置５までの距離を短く、且つ、簡素に構成できるため圧力損失が低減でき吸引力の向上が図れるとともに、エアフィルターの安定した動作を得ることができる。
【００２２】
（実施の形態２）
図５は、本発明の第２の実施の形態におけるフィルター装置１の斜視図である。
【００２３】
以下の説明において、実施の形態１の説明と重複する空気調和機本体１１およびフィルター装置１の構成、動作に関する説明は省略する。
【００２４】
図５に示すように、上下部エアフィルター４ａ、４ｂにおいて、フィルターの中央部分もフィルターワク２の縦桟に沿って部分的に補強部１９を設けたものである。
【００２５】
この構成により、エアフィルター動作時などにおけるフィルター中央部の縦方向の撓みが改善できる。
【００２６】
（実施の形態３）
図６は、本発明の第３の実施の形態におけるフィルター装置１の斜視図である。
【００２７】
以下の説明において、実施の形態１の説明と重複する空気調和機本体１１およびフィルター装置１の構成、動作に関する説明は省略する。
【００２８】
図６に示すように、上下部エアフィルター４ａ、４ｂにおいて、フィルターの中央部分を横方向に部分的に補強部１９を設けたものである。
【００２９】
この構成により、エアフィルター動作時などにおけるフィルター中央部の横方向の撓みが改善できる。
【００３０】
（実施の形態４）
図７は、本発明の第４の実施の形態におけるフィルター装置１のエアフィルター部の拡大図である。
【００３１】
図７に示すように、上下部エアフィルター４ａ、４ｂにおいて、フィルターの網目２０をエアフィルター４ａ、４ｂの駆動方向に対して斜めに編成したものである。
【００３２】
この構成により、フィルターの縦および横方向における曲げ強度が増すため、エアフィルター動作時などにおけるフィルターの縦および横方向の撓みや捻れが改善できる。
【産業上の利用可能性】
【００３３】
以上のように、本発明にかかる空気調和機は、エアフィルターに付着した埃の自動清掃を簡素な構成で実現でき、且つ、吸引力の向上が図れるため、エアフィルターを備えた空調機器、空気清浄機、送風機器などに広く適用できる。
【図面の簡単な説明】
【００３４】
【図１】本発明の実施の形態１における一実施例を示す空気調和機の正面図
【図２】本発明の実施の形態１における一実施例を示す空気調和機の断面図（図１のＩ−Ｉ断面）
【図３】本発明の実施の形態１における一実施例を示すフィルター装置の斜視図
【図４】本発明の実施の形態１における一実施例を示す吸引ノズルの外観図
【図５】本発明の実施の形態２における構成の一実施例を示す図
【図６】本発明の実施の形態３における構成の一実施例を示す図
【図７】本発明の実施の形態４における構成の一実施例を示す図
【符号の説明】
【００３５】
１  フィルター装置
２  フィルターワク
３  吸引ノズル
３ａ  吸引口
４ａ  上部エアフィルター
４ｂ  下部エアフィルター
５  吸引排気装置
８ａ  上部巻取り軸
８ｂ  下部巻取り軸
９  熱交換器
１０  ファン
１１  本体
１５  風流路
１６  吸込口
１７  吹出口
【図１】
2008256299.tif 000003
【図２】
2008256299.tif 000004
【図３】
2008256299.tif 000005
【図４】
2008256299.tif 000006
【図５】
2008256299.tif 000007
【図６】
2008256299.tif 000008
【図７】
2008256299.tif 000009